(57)【要約】【課題】通風路の側板の近くで気流剥離音が発生するという課題があり、通風路内に風路仕切りを備えることによって、剥離の発生を抑制させ、剥離音を低減させることを目的としている。【解決手段】側板２Ａ及び２Ｂと、クロスフローファン５と、スタビライザ７と、リアガイダ９と、吹き出しルーバー１４と、側板２の間に少なくても１つ以上の通風路１０を分割する風路仕切り１３を備え、クロスフローファン５のファン気流吹き出し部１２から風吹き出し口８の範囲で形成することにより、側板２Ａ及び２Ｂ近くの流速の失速を防ぐことになるので、剥離の発生を抑制させ、剥離音を低減させる。【選択図】  図１
2004278473.tif 000002
【特許請求の範囲】
【請求項１】
クロスフローファンを用いた送風装置において、
この送風装置の風吹出し口につながる通風路に
風路仕切りを設けたことを特徴とする送風装置。
【請求項２】
本体の左右側板間にクロスフローファンを設け、
本体前面に前記クロスフローファンに近接してスタビライザを備え、
本体後面から下面に至ってリアガイダを備え、
前記左右側板と前記スタビライザ及び前記リアガイダで前記クロスフローファンから送られる空気の通風路を形成し、
この通風路末端を風吹出し口とした送風装置であって、
前記通風路にはこの通風路を分割する一つ以上の風路仕切りを備え、
この風路仕切りは前記クロスフローファン外径近傍のファン気流吹き出し部から前記風吹き出し口までの範囲で形成したことを特徴とする送風装置。
【請求項３】
クロスフローファンは軸方向に直角に一つ以上のブレード仕切りを有し、
通風路に設けられた風路仕切りは前記クロスフローファンのブレード仕切りと気流の下流方向に対し同一平面上に設けられたことを特徴とする
請求項１または２記載の送風装置。
【請求項４】
クロスフローファンを用いた送風装置において、
この送風装置の風吹出し口につながる通風路に、この通風路の前記クロスフローファンの回転軸方向の幅寸法を縮小させる通風路幅調節板を備えたことを特徴とする送風装置。
【請求項５】
クロスフローファンを用いた送風装置において、
この送風装置の風吹出し口につながる通風路に、この通風路の前記クロスフローファンの回転軸方向の幅寸法を縮小させる通風路幅調節板を備えたことを特徴とする
請求項１、２または３記載の送風装置。
【請求項６】
クロスフローファン外径近傍のファン気流吹き出し部から下流の任意の第１位置から、この第１位置よりさらに下流の任意の第２位置までの通風路の間で、この通風路の前記クロスフローファンの回転軸方向の幅寸法を縮小させる通風路幅調節板を備えたことを特徴とする
請求項１、２または３記載の送風装置。
【発明の詳細な説明】
【０００１】
【発明の属する技術分野】
本発明は、空気調和機等に使用されるクロスフローファンを利用した送風装置に関するものである。
【０００２】
【従来の技術】
従来の送風装置は、例えば、特許文献１のような構成であった。
【０００３】
以下に従来の送風装置について、図６及び図７を参照しながら説明する。
【０００４】
図６において、送風装置本体１０１は、２つの側板１０２Ａ及び１０２Ｂの間にクロスフローファン１０３を配置し、クロスフローファン１０３に近接させてスタビライザ１０４を配置し、通風路１０５を形成するようにリアガイダ１０６を配置させた構成となっている。
【０００５】
図７において、クロスフローファン１０３を回転させることにより、吸込み空気は、スタビライザ１０４とリアガイダ１０６の間の吸い込み部１０７から流入し、スタビライザ１０４とリアガイダ１０６の間の風吹き出し部１０８から流出するという構成となっている。
【０００６】
なお、クロスフローファン１０３はその回転軸１０９を２つの側板１０２Ａ及び１０２Ｂの軸受（図示していない）に支えられ、側板１０２Ａに設置された電動機１１０により回転する構造となっている。
【０００７】
【特許文献１】
特開平１０−１５９７８９号公報（図１及び図８）
【０００８】
【発明が解決しようとする課題】
しかしながらこのような従来の送風装置では、通風路の側板及び側板の近くで剥離が発生し、そのため剥離音が発生するという課題があり、その防止のためにも、剥離の発生を抑制し、剥離音を低減させる必要がある。
【０００９】
本発明は、このような従来の課題を解決するものであり、通風路の側板及び側板近くで発生する剥離を抑制し、剥離音を低減することができる送風装置を提供することを目的としている。
【００１０】
【課題を解決するための手段】
上記課題を解決するため、クロスフローファンを用いた送風装置において、この送風装置の風吹出し口につながる通風路に風路仕切りを設けることによって、側板近くの流速の失速を防ぎ、さらには剥離の発生を抑制させ、剥離音を低減させる送風装置を提供することができる。
【００１１】
また、クロスフローファンを用いた送風装置において、この送風装置の風吹出し口につながる通風路に、この通風路の前記クロスフローファンの回転軸方向の幅寸法を縮小させる通風路幅調節板を備え、クロスフローファンの回転軸方向の通風路を急激に縮小させることによって、側板近くの流速の失速を防ぎ、さらには剥離の発生を抑制させ、剥離音を低減させる送風装置を提供することができる。
【００１２】
【発明の実施の形態】
本発明は、２つの側板の間に、少なくても１つ以上の通風路を分割する風路仕切りを備え、その風路仕切りは、クロスフローファンのファン気流吹き出し部から風吹き出し口までの範囲で形成することによって、側板近くの流速の失速を防ぎ、さらには剥離の発生を抑制させ、剥離音を低減させるという作用を有する。
【００１３】
また、風路仕切りを、クロスフローファンのファン気流吹き出し部から風吹き出し口までの範囲で、クロスフローファンのブレード仕切りと下流方向に重なる位置とすることによって、風量性能を大きく低下させず、側板近くの流速の失速を防ぎ、さらには剥離の発生を抑制させ、剥離音を低減させるという作用を有する。
【００１４】
また、クロスフローファンのファン気流吹き出し部から下流の任意の第１位置からさらに下流の任意の第２位置までの通風路の間で、クロスフローファンの回転軸方向の通風路の幅寸法を急激に縮小させる通風路幅調節板を形成することによって、側板近くの流速の失速を防ぎ、さらには剥離の発生を抑制させ、剥離音を低減させる作用を有する。
【００１５】
以下、本発明の実施例について図面を参照しながら説明する。
【００１６】
【実施例】
（実施例１）
図１は本発明の実施例１における送風装置の斜視図である。図２は図１のクロスフローファン回転軸方向における横断面図である。
【００１７】
図１及び図２において、送風装置本体１の両側面には側板２Ａ及び２Ｂがある。これら２つの側板２Ａ、２Ｂには軸受３が設けられ、この２つの軸受３に回転軸４を支えられたクロスフローファン５が両側板２Ａ及び２Ｂの間に位置している。図示していないが、クロスフローファン５の回転軸４は側板２Ａに配置された電動機軸に連接されている。
【００１８】
送風装置本体１の前面には上部から順に、空気吸込み口６、クロスフローファン５、スタビライザ７、及び風吹出し口８がある。
【００１９】
スタビライザ７はクロスフローファン５の正面視下側の３分の１から２分の１程度の位置から風吹出し口８に至り設けられ、その正面視上部はクロスフローファン５に近接して位置し、クロスフローファン５に沿うように滑らかにまがり、すなわち、クロスフローファン５の軸方向断面視でファン円周径の４分の１程度までクロスフローファン５側にファン外形に沿うように曲がり込んだ後、その正面視下部は風吹出し口８の上面を形成するために、クロスフローファン５から滑らかに曲がって離れ、風の吹出し方向に張り出すように形成されている。
【００２０】
したがって、スタビライザ７全体としてはその断面が略アルファベットのＵ字状になっているものである。
【００２１】
また、送風装置本体１の後面から下面に略回り込んだ形でリアガイダ９がある。
【００２２】
リアガイダ９はクロスフローファン５からの気流を風吹出し口８まで導くための通風路１０を形成する主要構成部分である。
【００２３】
リアガイダ９はクロスフローファン５の軸方向断面視で円周外径の右端面から３分の１から２分の１の上部位置からクロスフローファン５に近接し、クロスフローファン５外形に沿うようにクロスフローファン５中心軸の水平位置まで至り、その後、クロスフローファン５から少しづつ離れながら回り込むように風吹出し口８に至る形状となっている。
【００２４】
したがって、リアガイダ９全体としてはその断面が略カタカナのノ形状となっているものである。
【００２５】
通風路１０は送風装置１本体の正面視で下側部に位置し、両側面を形成する左右の側板２Ａ及び２Ｂと、クロスフローファン５下部近傍から前記正面視手前に至り上面を形成するスタビライザ７と、送風装置１本体の後面から下面に至り、通風路１０の後面から下面を形成するリアガイダ９から成り立っている。
【００２６】
また、通風路１０の範囲は送風装置１の横断面視（図２参照）で、クロスフローファン５の円周方向でクロスフローファン５に近接しクロスフローファン５に沿うように形成されているスタビライザ７面とリアガイダ９面の通風路内略想像接円部１１から通風路１０の端面である風吹出し口８まで至っている。
【００２７】
そして、上記の通風路内略想像接円部１１は回転するクロスフローファン５からの気流が通風路１０に流れ始める部分であって、別名ファン気流吹出し部１２と言う。
【００２８】
また、通風路１０には側板２Ａ及び２Ｂの間に少なくても１つ以上の通風路１０を分割する風路仕切り１３を備える。
【００２９】
本実施例において、風路仕切り１３は送風装置１本体の正面視で左右対称位置に計２箇所設けられ、両側板２Ａ及び２Ｂに平行させ、且つ、上記正面視の縦中心の左右半分のそのまた略半分の位置で両側板２Ａ及び２Ｂに近い位置に設けたものである。
【００３０】
また、この風路仕切り１３は、クロスフローファン５円周近傍のファン気流吹き出し部１２から風吹き出し口８に至る範囲で形成されている。
【００３１】
風吹出し口８の近傍で気流の下流位置には、風向を変化させる風向変更ルーバー１４が設けられている。
【００３２】
風向変更ルーバ１４は風吹出し口８正面視で横方向に２枚設けられ、左右両側板に軸支されて２枚が対になって上下方向に回転動作できるようになっている。
【００３３】
以上のように、構成された送風装置１において、電動機によりクロスフローファン５を図２において右回転させると、空気吸込み口６から吸込まれた空気はクロスフローファン５を通過し昇圧された後、勢い良くファン気流吹き出し口１２に流出し、ファン気流吹出し口１２から通風路１０を通って風吹出し口８に至り、風向変更ルーバ１４できめられた方向へ吹き出ることとなる。
【００３４】
このとき、通風路１０内に風路仕切り１３を設けているので、気流が通風路１０内で安定し、各通風路１０壁での流速の失速を防ぎ、さらには気流剥離の発生を抑制し、剥離音を要因とする騒音を低減させることができる。
【００３５】
実施例においては、２箇所の風路仕切り１３を通風路１０の全体割合からして左右両側板２Ａ、２Ｂに近い位置に設けることで、特に、側板２Ａ、２Ｂ近くの流速の失速を防ぎ、さらには剥離の発生を抑制させ、剥離音要因とする騒音を大幅に低減させる効果を有したものである。
【００３６】
（実施例２）
図３は本発明の実施例２における送風装置の斜視図である。図４は図３の風路仕切りの回転軸方向位置を示した横断面図である。
【００３７】
本実施例２の説明において、前記実施例１と同じ構成については同じ符号を用い詳細な説明を省略するとともに、同じ動作についても詳細な説明は省略する。
【００３８】
図３及び図４において、クロスフローファン５には、その回転軸の直角方向面に等間隔に３箇所のブレード仕切り１５が設けられている。
【００３９】
このブレード仕切り１５は主にファンの補強をするものであって、クロスフローファン５には通常設けられているものである。
【００４０】
本実施例では等間隔に設けたが、場合によっては等間隔でない場合もある。
【００４１】
一方、通風路１０内には風路仕切り１３が設けられている。
【００４２】
この風路仕切り１３はクロスフローファン５のブレード仕切り１５と下流方向に重なる位置、すなわち、送風装置１本体の正面視（図４参照）でクロスフローファン５のブレード仕切り１５と同一面で、且つ、同じ数だけ設けられており、本実施例では３箇所の風路仕切り１３が設けられている。
【００４３】
以上のように、構成された送風装置において、通風路１０内の風路仕切り１３がクロスフローファン５のブレード仕切り１５と同一面、同一箇所に設けられているので、クロスフローファン５からの軸方向気流脈に通風路内の風路仕切り１３が適合して、通風路内の気流が安定し、通風路１０各壁での流速の失速を防ぎ、さらには剥離の発生を抑制させ、剥離音を低減させる効果を有する。
【００４４】
また、最も剥離の生じやすい側板２Ａ、２Ｂ近くの流速の失速を防ぎ、さらには剥離の発生を抑制させ、剥離音要因とする騒音を大幅に低減させる効果を有したものである。
【００４５】
また、クロスフローファン５のブレード仕切り１５近くは流速が小さく、クロスフローファン５のブレード仕切り１５と下流方向で重なるように風路仕切り１３を配置させることで風量性能を低下させにくい効果を有することとなる。
【００４６】
なお、本実施例では風路仕切り１３の数は、ブレード仕切り１５と同じ数だけ設けているが、必ずしも同数でなくとも良く、その効果の大小の違いはあるものの、効果を奏することに相違は無い。
【００４７】
（実施例３）
図５は本発明の実施例３における送風装置の斜視図である。
【００４８】
本実施例３の説明において、前記実施例１及び２と同じ構成については同じ符号を用い詳細な説明を省略するとともに、同じ動作についても詳細な説明は省略する。
【００４９】
図５において、側壁２Ａ及び２Ｂにクロスフローファン５のファン気流吹出し部１２から通風路１０内の下流の任意の第１位置からさらに下流の任意の第２位置までの通風路１０の間で、クロスフローファン５の回転軸方向の通風路の幅寸法を急激に縮小させる通風路幅調節板１６を設けたものである。
【００５０】
通風路幅調節板１６は上記通風路１０内の任意の第１位置から第２位置に有り、その高さ寸法を通風路高さに合わせた板であって、各々の側板２に一端がその側板に対し回転動作できるようにヒンジにより係止されており、もう一端を手動にて動かすことにより回動して側板２から離れ、通風路側にはみ出して通風路１０の幅を小さくするものである。
【００５１】
以上のように構成された送風装置において、通風路幅調節板１６は、２つの側壁２Ａ及び２Ｂからはみ出して、側板２近くの流速の失速を防ぎ、さらには剥離の発生を抑制させ、剥離音を低減させる効果を有する。
【００５２】
なお、通風路幅調節板１６は回動可能な板としたが、回動させずに通風路１０の側板２に接合させて、気流方向にほぼ直角にはめ込むことで、通風路幅を縮小する構造でもよく、要は、側板２の気流速の失速を防ぎ、気流剥離の発生を抑制させることができればいいのである。
【００５３】
そして、上記方法だとクロスフローファン５のファン気流吹き出し部１２から徐々にクロスフローファン５の回転軸方向の通風路を縮小させる場合と比べて、製作費を削減できる効果を有する。
【００５４】
【発明の効果】
以上のように、本発明の送風装置によれば通風路の側板及び側板の近くでの剥離を抑制し、剥離音を低減させることができる。
【図面の簡単な説明】
【図１】本発明の実施例１における送風装置斜視図
【図２】同通風路を説明するための送風装置横断面図
【図３】本発明の実施例２における送風装置斜視図
【図４】同風路仕切りとブレード仕切りの関係を表した送風装置正面図
【図５】本発明の実施例３の通風路調節板を説明する送風装置斜視図
【図６】従来の送風装置斜視図
【図７】同横断面図
【符号の説明】
１    送風装置本体
２Ａ  側板
２Ｂ  側板
４    回転軸
５    クロスフローファン
７    スタビライザ
８    風吹出し口
９    リアガイダ
１０  通風路
１２  ファン気流吹き出し部
１３  風路仕切り
１５  ブレード仕切り
１６  通風路幅調節板
【図１】
2004278473.tif 000003
【図２】
2004278473.tif 000004
【図３】
2004278473.tif 000005
【図４】
2004278473.tif 000006
【図５】
2004278473.tif 000007
【図６】
2004278473.tif 000008
【図７】
2004278473.tif 000009